(57)【要約】      （修正有）【課題】自転車サドル構造を提供する。【解決手段】自転車サドル構造１００は、狭前部２１０と、縦方向に沿って狭前部に接続される広後部２２０と、縦方向に沿って広後部に突出して設けられるリブ２５０と、それぞれリブの両側に位置するように広後部に設けられる２つの凹溝２３０と、を含むボトムシェル２００と、それぞれバッグ本体３１０と、バッグ本体によって位置制限されるように、バッグ本体内に収納される複数のボール３２０と、を含み、それぞれ２つの凹溝に設けられる２つの変形ユニット３００と、凹溝を封止するようにボトムシェルを覆う弾性層４００と、を備える。これにより、人は、自転車サドル構造に座る場合、ボールを押して転動させて圧力を分散させるとともに、リブが縦方向に沿って広後部から突出して、構造の強度を高めて、自転車サドル構造への損害を避けることができる。【選択図】図２
0003221191.tif 000002
【実用新案登録請求の範囲】
【請求項１】
狭前部と、縦方向に沿って前記狭前部に接続される広後部と、前記縦方向に沿って前記広後部に突出して設けられるリブと、それぞれ前記リブの両側に位置するように前記広後部に設けられる２つの凹溝と、を含むボトムシェルと、
バッグ本体と、前記バッグ本体内で自由に転動するように収納され且つ前記バッグ本体によって位置制限される複数のボールと、を含み、それぞれ２つの前記凹溝に設けられる２つの変形ユニットと、
前記凹溝を封止するように前記ボトムシェルを覆う弾性層と、
を備える自転車サドル構造。
【請求項２】
前記リブの幅は、前記狭前部へ次第に小さくなる請求項１に記載の自転車サドル構造。
【請求項３】
前記リブの高さは、前記狭前部へ次第に小さくなる請求項２に記載の自転車サドル構造。
【請求項４】
前記凹溝の各々は、溝底部と、前記溝底部に接続され、且つ前記溝底部との夾角が９０度よりも大きい溝壁と、を含む請求項１に記載の自転車サドル構造。
【請求項５】
前記弾性層の前記ボトムシェルから離れる側に設けられるカバー本体を更に含む請求項１に記載の自転車サドル構造。
【請求項６】
狭前部と、縦方向に沿って前記狭前部に接続される広後部と、前記縦方向に垂直な横方向に沿って間隔を置いて前記広後部に設けられる２つの凹溝と、を含むボトムシェルと、
複数の通気性細孔を含むバッグ本体と、前記バッグ本体内で自由に転動するように収納され且つ前記バッグ本体によって位置制限される複数のボールと、を含み、それぞれ２つの前記凹溝に設けられる２つの変形ユニットと、
前記凹溝を封止するように前記ボトムシェルを覆う弾性層と、
を備える自転車サドル構造。
【請求項７】
前記凹溝の各々は、溝底部と、前記溝底部に接続され、且つ前記溝底部との夾角が９０度よりも大きい溝壁と、を含む請求項６に記載の自転車サドル構造。
【請求項８】
前記弾性層の前記ボトムシェルから離れる側に設けられるカバー本体を更に含む請求項６に記載の自転車サドル構造。
【請求項９】
狭前部と、縦方向に沿って前記狭前部に接続される広後部と、前記縦方向に垂直な横方向に沿って間隔を置いて前記広後部に設けられる２つの凹溝と、前記狭前部及び前記広後部を囲むフランジと、を含むボトムシェルと、
バッグ本体と、前記バッグ本体内で自由に転動するように収納され且つ前記バッグ本体によって位置制限される複数のボールと、を含み、それぞれ２つの前記凹溝に設けられる２つの変形ユニットと、
前記凹溝を封止するように前記ボトムシェルを覆い、前記フランジによって位置決めされる弾性層と、
前記弾性層の前記ボトムシェルから離れる側に設けられるカバー本体と、
を備える自転車サドル構造。
【請求項１０】
前記凹溝の各々は、溝底部と、前記溝底部に接続され、且つ前記溝底部との夾角が９０度よりも大きい溝壁と、を含む請求項９に記載の自転車サドル構造。
【考案の詳細な説明】
【技術分野】
【０００１】
本考案は、サドルに関し、特に、自転車に取り付けられる自転車サドル構造に関する。
【背景技術】
【０００２】
サドルは、自転車に乗る時に人体に接触する最も重要な部分であり、異なる乗り姿勢や人体の重心の変化がサドルのマッチングに密接に関連している。従って、現在の自転車用サドルは、乗り心地を向上させるために、殆どサスペンション構造を備える。
【０００３】
従来の自転車サドルは、一体成形の構造であり、サドルの下に１つ又は複数のバネサスペンション装置が設けられる。しかしながら、ライダーは、坂道を上り下りしたり、カーブしたり、障害を避けたりする場合、尻が体の重心の変化によってサドルに何度も加圧し及び往復して摩擦揺動する必要がある。上記の一体式のサドルは、ライダーの重心変化に応じて変化できないので、このような自転車サドルに座る快適性が悪く、ライダーの尻の怪我や痛みを起こしやすい。
【０００４】
上記の問題を改善するために、体の座骨に応じて部分的に変形可能なサドルを開発した当業者がいる。改良方法として、殆どサドル内に厚い軟質素材を加えるが、このようなサドルにより座骨の間にある軟骨組織のサドルとの接触面積を増加させ、更に、摩擦程度を増加させるので、依然として改善の余地がある。
【考案の概要】
【考案が解決しようとする課題】
【０００５】
これに鑑みて、如何にサドル構造を効果的に改善し、乗る時の快適性を高めるかは、当業者の努力する目標である。
【課題を解決するための手段】
【０００６】
本考案は、ボトムシェル、変形ユニット及び弾性層の構造の配置により、乗る時の快適性を高めることができる自転車サドル構造を提供する。
【０００７】
本考案の一実施形態によれば、狭前部と、縦方向に沿って狭前部に接続される広後部と、縦方向に沿って広後部に突出して設けられるリブと、それぞれリブの両側に位置するように広後部に設けられる２つの凹溝と、を含むボトムシェルと、それぞれバッグ本体と、バッグ本体内で自由に転動するように収納され且つバッグ本体によって位置制限される複数のボールと、を含み、それぞれ２つの凹溝に設けられる２つの変形ユニットと、凹溝を封止するようにボトムシェルを覆う弾性層と、を備える自転車サドル構造を提供する。
【０００８】
これにより、人体が自転車サドル構造に座り且つ圧力を与える場合、弾性層は、凹溝内部へバッグ本体を変形させるように押圧し、ボールを押して転動させて圧力を分散させるとともに、リブが縦方向に沿って広後部から突出して、構造の強度を高めて、自転車サドル構造への損害を避けることができる。
【０００９】
前記の自転車サドル構造によれば、リブの幅は、狭前部へ次第に小さくなってよい。又はリブの高さは、狭前部へ次第に小さくなってよい。又は、凹溝の各々は、溝底部と、溝底部に接続され、且つ溝底部との夾角が９０度よりも大きい溝壁と、を含んでよい。又は前記自転車サドル構造は、弾性層のボトムシェルから離れる側に設けられるカバー本体を更に含んでよい。
【００１０】
本考案の別の実施形態によれば、狭前部と、縦方向に沿って狭前部に接続される広後部と、縦方向に垂直な横方向に沿って間隔を置いて広後部に設けられる２つの凹溝と、を含むボトムシェルと、それぞれ複数の通気性細孔を含むバッグ本体と、バッグ本体内で自由に転動するように収納され且つバッグ本体によって位置制限される複数のボールと、を含み、それぞれ２つの凹溝に設けられる２つの変形ユニットと、凹溝を封止するようにボトムシェルを覆う弾性層と、を備える自転車サドル構造を提供する。
【００１１】
これにより、人体が自転車サドル構造に座り且つ圧力を与える場合、弾性層は、凹溝内部へバッグ本体を変形させるように押圧し、ボールを押して転動させて圧力を分散させるとともに、バッグ本体内部の空気が圧力を受けてから複数の通気性細孔から排出するので、圧力を分散させる能力を高めるようにバッグ本体内のボールの転動変位に寄与することができる。
【００１２】
前記の自転車サドル構造によれば、凹溝の各々は、溝底部と、溝底部に接続され、且つ溝底部との夾角が９０度よりも大きい溝壁と、を含んでよい。又は前記自転車サドル構造は、弾性層のボトムシェルから離れる側に設けられるカバー本体を更に含んでよい。
【００１３】
本考案の別の実施形態によれば、狭前部と、縦方向に沿って狭前部に接続される広後部と、縦方向に垂直な横方向に沿って間隔を置いて広後部に設けられる２つの凹溝と、狭前部及び広後部を囲むフランジと、を含むボトムシェルと、それぞれバッグ本体と、バッグ本体内で自由に転動するように収納され且つバッグ本体によって位置制限される複数のボールと、を含み、それぞれ２つの凹溝に設けられる２つの変形ユニットと、凹溝を封止するようにボトムシェルを覆いフランジによって位置決めされる弾性層と、弾性層のボトムシェルから離れる側に設けられるカバー本体と、を備える自転車サドル構造を提供する。
【００１４】
これにより、人体が自転車サドル構造に座り且つ圧力を与える場合、弾性層は、凹溝内部へバッグ本体を変形させるように押圧し、ボールを押して転動させて圧力を分散させるとともに、フランジの設置により弾性層の位置決めに寄与して、プロセスの歩留まりに有利である。
【００１５】
前記の自転車サドル構造によれば、凹溝の各々は、溝底部と、溝底部に接続され、且つ溝底部との夾角が９０度よりも大きい溝壁と、を含んでよい。
【図面の簡単な説明】
【００１６】
【図１】本考案の一実施形態による自転車サドル構造を示す斜視模式図である。
【図２】図１の自転車サドル構造を示す分解模式図である。
【図３】図２の自転車サドル構造のボトムシェルの断面線３−３に沿う断面模式図である。
【図４Ａ】図２の自転車サドル構造の変形ユニットのバッグ本体の一部を示す拡大模式図である。
【図４Ｂ】図２の自転車サドル構造の変形ユニットの複数のボールの一部を示す拡大模式図である。
【図５】図１の自転車サドル構造の断面線５−５に沿う断面模式図である。
【考案を実施するための形態】
【００１７】
以下、図面で本考案の複数の実施形態を説明し、明らかに説明するために、数多くの実際の細部を以下の説明で併せて説明する。しかしながら、これらの実際の細部は本考案を制限するためのものではないことを理解すべきである。つまり、本考案の一部の実施形態において、これらの実際の細部は必要なものではない。そのほか、図面を簡略化するために、ある従来慣用の構造と素子を図面において簡単に模式的に示す。また、同一の素子は同一の番号で示すことがある。
【００１８】
また、本明細書において、ある素子（あるいは機構、モジュール等）が別の素子に「接続」、「設置」又は「結合」される場合、素子が直接的に他の素子に接続、設置又は結合されることを意味してよく、また、ある素子が間接的に他の素子に接続、設置又は結合されることを意味してもよく、すなわち、他の素子が前記素子と他の素子との間に介在する。ある素子が別の素子に「直接的に接続される」、「直接的に設置される」、又は「直接的に結合される」と明らかに述べられている場合、他の素子が前記素子と他の素子との間に介在しないことを意味する。第１の、第２の、第３の等の用語は、異なる素子又は成分を記述するためにのみ使用され、素子／成分自体に対して限定しないため、第１の素子／成分を第２の素子／素子と呼んでもよい。
【００１９】
図１、図２、図３、図４Ａ、図４Ｂ及び図５を参照されたい。図１は、本考案の一実施形態による自転車サドル構造１００を示す斜視模式図である。図２は、図１の自転車サドル構造１００を示す分解模式図である。図３は、図２の自転車サドル構造１００のボトムシェル２００の断面線３−３に沿う断面模式図である。図４Ａは、図２の自転車サドル構造１００の変形ユニット３００のバッグ本体３１０の一部を示す拡大模式図である。図４Ｂは、図２の自転車サドル構造１００の変形ユニット３００の複数のボール３２０の一部を示す拡大模式図である。図５は、図１の自転車サドル構造１００の断面線５−５に沿う断面模式図である。
【００２０】
自転車サドル構造１００は、ボトムシェル２００と、２つの変形ユニット３００と、弾性層４００と、を備える。ボトムシェル２００は、狭前部２１０、広後部２２０及び２つの凹溝２３０を含む。広後部２２０は、縦方向Ｌ１に沿って狭前部２１０に接続される。２つの凹溝２３０は、縦方向Ｌ１に垂直な横方向Ｌ２に沿って間隔を置いて広後部２２０に設けられる。２つの変形ユニット３００は、それぞれ２つの凹溝２３０に設けられ、且つバッグ本体３１０及び複数のボール３２０を含む。バッグ本体３１０は、複数の通気性細孔３１１を含んでよい。複数のボール３２０は、バッグ本体３１０内で自由に転動し且つバッグ本体３１０によって位置制限されるように収納される。弾性層４００は、凹溝２３０を封止するように、ボトムシェル２００を覆う。
【００２１】
これにより、人体が自転車サドル構造１００に座って圧力を与える場合、弾性層４００は、凹溝２３０内部へバッグ本体３１０を変形させるように押圧し、バッグ本体３１０内部の空気が圧力を受けて複数の通気性細孔３１１から排出するので、バッグ本体３１０におけるボール３２０が転動し変位して圧力を分散させることに有利であり、ボールを凹溝２３０内に位置限定することに寄与する。後で、自転車サドル構造１００の細部構造を詳しく説明する。
【００２２】
自転車サドル構造１００は、自転車（未図示）に設けられることに用いられ、その設置の方法及び設置の構造は既知であるので、ここで説明しない。図１〜図５の実施例において、自転車サドル構造１００のボトムシェル２００は、金属材料、炭素繊維材料又は剛性を有する他の材料で製造される。狭前部２１０と広後部２２０とは、一体成形される。狭前部２１０の横方向Ｌ２に沿った最大距離が広後部２２０の横方向Ｌ２に沿った最大距離よりも小さい。狭前部２１０及び広後部２２０の何れも円弧状となる。且つ、広後部２２０の狭前部２１０から離れる端は、ほぼＷ形構造になる。
【００２３】
ボトムシェル２００は、リブ２５０を更に含んでよい。リブ２５０が縦方向Ｌ１に沿って広後部２２０に突出して設けられることで、２つの凹溝２３０がそれぞれリブ２５０の両側に位置するようになる。より詳しくは、広後部２２０は、左右対称となる。リブ２５０は、２つの凹溝２３０を分離させるように広後部２２０の中央に位置し、その幅が狭前部２１０へ次第に小さくなってよく、且つその高さが狭前部２１０へ次第に小さくなってもよい。これにより、広後部２２０の上面が狭前部２１０の上面に滑らかに接続される。リブ２５０の設置によって、ボトムシェル２００の剛性を強化し、ボトムシェル２００の構造強度を高め、ボトムシェル２００への損害を避けることができる。
【００２４】
ここで特に説明すべきなのは、図１〜図５の実施例における狭前部２１０の一部が広後部２２０よりも高く、且つ広後部２２０が狭前部２１０及びリブ２５０に隣接するところに凹部を有し、それにリブ２５０が低く広後部２２０からやや突出するので、図３におけるリブ２５０は、視覚的にやや狭前部２１０の高い所よりも低い。しかしながら、他の実施例において、高いリブを狭前部よりも高いように設置してもよいが、これに限定されない。
【００２５】
ボトムシェル２００の凹溝２３０の各々は、溝底部２３２及び溝壁２３１を含んでよい。溝壁２３１は、溝底部２３２に接続され、且つ溝底部２３２との夾角が９０度よりも大きい。つまり、溝壁２３１は、傾斜して溝底部２３２に接続され、広後部２２０の形に応じるために、その各点と溝底部２３２との夾角が完全に等しいものではない。図５に示すように、側溝壁２３１と溝底部２３２との夾角θ１が他側の溝壁２３１と溝底部２３２との夾角θ２と異なり、且つ夾角θ１が夾角θ２よりも小さいが、これに限定されない。これにより、変形ユニット３００が圧力を受ける場合、ボール３２０が凹溝２３０内で自由に転動しやすくなり、例えば、凹溝２３０の中央から凹溝２３０の両側へ転動して、圧力の分散に更に寄与することができる。
【００２６】
ボトムシェル２００は、狭前部２１０及び広後部２２０を囲むフランジ２４０を更に含んでよい。即ち、フランジ２４０は、その一部が狭前部２１０の縁部に位置し、その別の一部が広後部２２０の縁部に位置し、且つその２つの部分が狭前部２１０及び広後部２２０を囲むように互いに接続する。フランジ２４０は、製造される時に狭前部２１０及び広後部２２０と一体成形されることが好ましい。
【００２７】
図４Ａに示すように、バッグ本体３１０は、不織布材料で製造されてよく、成形時に細孔を有するので、複数の通気性細孔３１１が微視的に見られる。図４Ｂに示すように、ボール３２０は、バッグ本体３１０に充填され、且つバッグ本体３１０内で転動し変位することができる。より詳しくは、ボール３２０がバッグ本体３１０内に密集して充填されるので、バッグ本体３１０内のボール３２０の各々が互いに接触し当接するので、ボール３２０又は複数のボール３２０が力を受ける時に他のボール３２０を連動させるように押して、図面に制限されない。他の未図示の実施例において、バッグ本体３１０は、他の材料で製造され且つ通気性細孔を有しないものであってもよいが、これに限定されない。
【００２８】
図１〜図５の実施例において、弾性層４００は、回復能力を持つ発泡体である。自転車サドル構造１００は、弾性層４００のボトムシェル２００から離れる側に設けられるカバー本体５００を更に含んでよい。好ましくは、弾性層４００とカバー本体５００とが真空成形法によって製造されるので、弾性層４００は、まずカバー本体５００と緊密に接続されてからボトムシェル２００に設けられ、弾性層４００及びカバー本体５００をフランジ２４０によって位置決めされるようにする。つまり、弾性層４００及びカバー本体５００がボトムシェル２００に設けられる場合、フランジ２４０は最外側、弾性層４００は最内側、カバー本体５００はフランジ２４０と弾性層４００との間に位置するが、従来のカバー本体がボトムシェルの外側に設けられ、且つカバー本体がボトムシェルの下へ延伸してからネイルで固定される構造配置と異なる。
【００２９】
弾性層４００が接着剤でボトムシェル２００に張り合わせられるので、ボトムシェル２００と弾性層４００との間にバッグ本体３１０内の空気が排出する隙間が生じる。他の未図示の実施例において、弾性層４００は、ボトムシェル２００と完全に張り合わせられてよく、上記の開示を含むがこれに限定されない。
【００３０】
本考案を実施形態で前述の通り開示したが、これは本考案を限定するためのものではなく、当業者であれば、本考案の精神と範囲から逸脱しない限り、各種の変更や修正を加えることができる。従って、本考案の保護範囲は、実用新案登録請求の範囲で指定した内容を基準とする。
【符号の説明】
【００３１】
１００  自転車サドル構造
２００  ボトムシェル
２１０  狭前部
２２０  広後部
２３０  凹溝
２３１  溝壁
２３２  溝底部
２４０  フランジ
２５０  リブ
３００  変形ユニット
３１０  バッグ本体
３１１  通気性細孔
３２０  ボール
４００  弾性層
５００  カバー本体
Ｌ１  縦方向
Ｌ２  横方向
θ１  夾角
θ２  夾角
【図１】
0003221191.tif 000003
【図２】
0003221191.tif 000004
【図３】
0003221191.tif 000005
【図４Ａ】
0003221191.tif 000006
【図４Ｂ】
0003221191.tif 000007
【図５】
0003221191.tif 000008